(57)【要約】      （修正有）【課題】ジューサーの安全装置を提供する。【解決手段】ジューサーの機体及び材料押し込み筒４を備え、ジューサーの材料進入トンネル１１外側にはインチングスイッチ２を設置し、インチングスイッチ２はモーター１６の電源と電気的に連接し、材料押し込み筒４の外周には材料押し込み筒４と軸方向に相対移動が可能な安全リング４１を設置し、安全リング４１下方には突出部品を設置し、材料押し込み筒４が材料進入トンネル１１内に進入し、しかも安全リング４１が材料進入トンネル１１を覆い、突出部品をインチングスイッチ２に接触させると、モーター１６を通電させ、カッター装置１２の運転を連動し、安全リング４１が上方へと移動させられ、突出部品とインチングスイッチ２が離れると、モーター１６は電源を切断され、カッター装置１２は運転を停止する。【選択図】図３
0003149106.tif 000002
【実用新案登録請求の範囲】
【請求項１】
ジューサーの機体と材料押し込み筒を備え、
前記機体は、材料進入トンネルを設置し、前記材料進入トンネルの下方にはカッター装置を設置し、前記カッター装置は、モーターを連接し、
前記材料進入トンネル外側には、スイッチ装置を設置し、前記スイッチ装置は、前記モーターの電源と電気的に連接し、
前記材料押し込み筒の外周には、前記材料押し込み筒と軸方向に相対移動が可能な安全リングを設置し、前記安全リング下方には突出部品を設置し、
前記材料押し込み筒が前記材料進入トンネル内に進入し、しかも前記安全リングが下方へと移動し、前記突出部品を前記スイッチ装置に接触させると、前記スイッチ装置は前記モーターを通電させ、カッター装置の運転を連動し、
前記突出部品と前記スイッチ装置が離れると、前記モーターは電源を切断されることを特徴とするジューサーの安全装置。
【請求項２】
前記材料進入トンネル外側にはハンドルを設置し、前記スイッチ装置は前記ハンドルの内部に設置し、しかも前記ハンドル上端には垂直に延伸する溝穴を設置し、前記スイッチ装置は前記溝穴の内壁に露出し、これにより前記突出部品が接触可能な構造を備えることを特徴とする請求項１に記載のジューサーの安全装置。
【請求項３】
前記スイッチ装置は、インチングスイッチ、前記ハンドル内部に可動状態で設置し前記インチングスイッチに接触する連棒を備え、前記連棒が前記溝穴内壁に露出する構造であることを特徴とする請求項２に記載のジューサーの安全装置。
【請求項４】
前記材料押し込み筒は、軸方向に上、下端に貫通する貫通孔を備え、前記貫通孔には、材料押し込み棒を軸方向に可動状態で挿入可能であることを特徴とする請求項１に記載のジューサーの安全装置。
【請求項５】
前記材料押し込み筒の外周表面には、軸方向に延伸する少なくとも１個の導入溝を設置し、しかも前記安全リングの内径には、前記導入溝内においてスライド対応する導入ブロックを設置することを特徴とする請求項１に記載のジューサーの安全装置。
【考案の詳細な説明】
【技術分野】
【０００１】
本考案は野菜や果物を搾り、或いはミンチしジュースにする機器に関し、特に使用者の操作上の安全を確保するジューサーの安全装置に関する。
【背景技術】
【０００２】
現在市販されている大方のジューサーは、機体に材料進入トンネルを設置する。該材料進入トンネルには材料押し込み器を配置し、使用者は、野菜や果物を該材料進入トンネルに投入し、これにより野菜や果物は材料進入トンネル底部の盤状カッター上に落ちる。該材料押し込み器は野菜や果物を圧迫すると同時に、カッターを利用し野菜や果物を切り刻み、すりつぶし、ジュースとする。
【０００３】
公知のジューサーは、スイッチによりモーターの運転を制御する。つまり、スイッチをオンにすると、モーターは運転を持続し、カッターの継続回転を駆動する。一方、スイッチをオフにすると、モーターとカッターは同時に回転を停止する。この種の設計には、以下のような欠点が存在する。該材料押し込み器が材料進入トンネルを離れてはいるが、次の野菜や果物がまだ投入されていない時にも、カッターはやはり回転状態にあるため、もし材料進入トンネルに異物が入り込んだなら、カッターは強烈な衝撃を受け損傷し、さらには、異物が機体の外に放り出され、そばにいる人に怪我を負わせる恐れがある。使用者は、材料押し込み器を材料進入トンネルから取り出す前に、先ず電源をオフにし、野菜や果物を再び投入する時に改めて電源をオンにすれば良いが、このような反復操作は非常に不便である。
【０００４】
また、材料押し込み器を備えない従来のジューサーにも、同様に安全上の問題が存在する。特に、ジューサーの機体の開口部が比較的大きく、子供の手が簡単に入るという点は、非常に危険で、重大な欠点である。
【０００５】
これに対して、特許文献１は、上記した従来のジューサーの問題を解決する設計を掲示する。但し、特許文献１は、スイッチ装置を材料進入トンネル内に設置するため、スイッチ装置に野菜や果物の汁が滲入し、或いは野菜や果物の質がスイッチ装置に汚染される可能性があり、メンテナンスも容易ではない。さらに、特許文献１は、材料押し込み器が材料進入トンネルの一定の深さまで達すると、スイッチ装置に接触し、電源をオンにする設計であるため、材料押し込み器が持ち上げられ、その深さを離れると、スイッチ装置に接触せず電源がオフとなる。つまり、電源起動に自由がなく、使用者は実際の状況に応じてモーター運転のタイミングを制御することができない。  本考案は、従来のジューサーの安全装置の上記した欠点に鑑みてなされたものである。
【０００６】
【特許文献１】米国特許１１/６２０８０１号
【考案の開示】
【考案が解決しようとする課題】
【０００７】
本考案が解決しようとする主要な課題は、モーター起動の自由度を向上させ、しかもより高い衛生要求に応えることができるジューサーの安全装置を提供することである。
【課題を解決するための手段】
【０００８】
上記課題を解決するため、本考案は下記のジューサーの安全装置を提供する。
ジューサーの安全装置は、機体と材料押し込み筒を備え、材料進入トンネル外側にはスイッチ装置を設置し、材料押し込み筒には可動状態で安全リングを組合せ、
該材料押し込み筒が材料進入トンネル内に挿し込まれると、材料押し込み筒によりモーターの電源を起動し、該安全リングを操作することにより電源のオンとオフを制御するため、電源の起動のタイミングを自由に制御可能で、操作は非常に便利で、しかもスイッチ装置を該材料進入トンネル内に設置することによる衛生面での憂慮を払拭することができる。
該安全リングは適当な重量を備えるため、該材料押し込み筒が該材料進入トンネル内に挿し込まれると、該安全リングは自ら落下し、該スイッチ装置を連動し、電源を起動し、或いは少し後に該安全リングを落下させ、電源起動を遅らせることができる。
該材料押し込み筒が持ち上げられると、安全リングも同時に持ち上げられ、電源は切断され、また該材料押し込み筒だけを持ち上げ、該安全リングは元の位置を保持し、通電状態を維持することもできる。
該材料進入トンネル外側にはスイッチ装置を設置し、該スイッチ装置は該モーターの電源と電気的に連接し、該材料押し込み筒の外周には該材料押し込み筒と軸方向に相対移動が可能な安全リングを設置し、該安全リングの内部には適当な重量の物体を含み、該安全リングの全体的重量を増やし、該安全リングの下方には該スイッチ装置と接触することができる突出部品を設置する。
該材料押し込み筒が該材料進入トンネル内に進入し、しかも該安全リングが該材料進入トンネルを覆い、該突出部品をスイッチ装置に接触させると、該モーターを通電させ、カッター装置の運転を連動する。
該安全リングが上方へと移動させられ、該突出部品とスイッチ装置が離れると、該モーターは電源を切断され、カッター装置は運転を停止する。
該材料進入トンネル外側にはハンドルを設置し、該スイッチ装置は該ハンドルの内部に設置し、しかも該ハンドル上端には垂直に延伸する溝穴を設置し、該スイッチ装置は該溝穴の内壁に露出し、これにより該安全リング下方の突出部品が該溝穴に挿入される時、スイッチ部品に接触し、電源を起動することができる。
該ハンドル内のスイッチ装置は、インチングスイッチ、該ハンドル内部に可動状態で設置する連棒を備え、該連棒が該溝穴内壁に露出する構造で、該安全リング下方の突出部品が該溝穴に挿入されると、該連棒に直接接触し、さらに該連棒により該インチングスイッチを連動し、電源を起動する。
カッター装置の運転を持続させなければならない状況においては、該材料押し込み筒に軸方向に上、下端に貫通する貫通孔を設置し、該貫通孔には材料押し込み棒を軸方向に可動状態で挿し込むことができ、これにより該材料押し込み筒は該材料進入トンネルに挿し込まれた状態を保持し、比較的体積の小さな野菜や果物を該貫通孔から投入し、さらに材料押し込み棒を利用し該貫通孔に挿入し、野菜や果物をジュースとすることができる。
【考案の効果】
【０００９】
本考案は使用者の操作上の安全を確保することができる。
【考案を実施するための最良の形態】
【００１０】
以下に図面を参照しながら本考案を実施するための最良の形態について詳細に説明する。図１と図３に示すように、本考案一実施形態によるジューサーの安全装置は、ジューサーの機体１と材料押し込み筒４を備える。機体１上には、材料進入トンネル１１を設置し、材料進入トンネル１１の下方にはカッター装置１２を設置する。カッター装置１２の下方には、モーター１６を連接し、モーター１６は通電し作動する時、カッター装置１２の回転を駆動することができる。このようにして、材料進入トンネル１１から投入された野菜や果物をジュースにし、ジュースは機体１側面のジュース出口１３から流れ出る。一方、野菜や果物のカスはカス収集槽１４へと排出される。
【００１１】
次に図３と図４に示すように、本考案一実施形態によるジューサーの安全装置は、機体１の材料進入トンネル１１外側にハンドル１５を設置する。ハンドル１５の上面には、垂直に延伸し、適当な深さを備える溝穴１５１を設置する。ハンドル１５内部にはスイッチ装置を設置する。スイッチ装置は、インチングスイッチ２と連棒３を備える。インチングスイッチ２は、モーター１６の電源と電気的に連接する。連棒３は、ハンドル１５内部に可動状態で設置し、連棒３の一端はインチングスイッチ２に接触する。
【００１２】
図２と図４に示すように、本考案一実施形態によるジューサーの安全装置の材料押し込み筒４は、軸方向に貫通する貫通孔４３を設置する。材料押し込み筒４の外周表面には、軸方向に延伸する複数の導入溝４５を設置する。材料押し込み筒４の外周には、安全リング４１を可動状態で組み合わせる。安全リング４１の内径には、導入溝４５とスライド対応する導入ブロック４１１を設置する。これにより、安全リング４１は、材料押し込み筒４と軸方向の相対移動を行うが、相対回転を行うことはできない。さらに、安全リング４１下方には、ハンドル１５上端の溝穴１５１に挿入可能な突出部品４２を設置する。貫通孔４３には、材料押し込み棒４４を押し込むことができる。安全リング４１の内部には、金属ブロック等の適当な質量の部品を設置することができ、これにより安全リング４１全体の重量を増やす。または、安全リング４１は適当な材料を用い製造し、適当な重量を備える安全リング４１とすることができる。
【００１３】
続いて、本考案の使用方式について説明する。野菜や果物を材料進入トンネル１１に投入後、材料押し込み筒４を材料進入トンネル１１に挿し込むが、安全リング４１は一定の重量を備えるため、材料押し込み筒４の下方位置に留まり、よって、材料押し込み筒４が材料進入トンネル１１に進入する行程において、安全リング４１は自ら落下する。これにより、突出部品４２は、ハンドル１５上端の溝穴１５１に挿入され、連棒３に接触する。連棒３は、インチングスイッチ２を連動し通電させる（図５参照）。材料押し込み筒４が下方への移動を持続する過程において、材料押し込み筒４が材料進入トンネル１１に完全に挿し込まれた後、突出部品４２も連棒３への接触を持続する。これにより、モーター１６は通電し運転状態となる（図６参照）。また、電源をオンにしたい時には、使用者は、安全リング４１を持ち、材料押し込み筒４を材料進入トンネル１１に挿し込み、安全リング４１を下に下ろせば電源を起動することができる。安全リング４１が上方へと動かされ、これにより突出部品４２が連棒３との接触を離れた後、インチングスイッチ２自身の弾力で連棒３を元に位置に戻すことができる。安全リング４１を上方へと移動させる方式には、凡そ以下の２種がある。一つは、材料押し込み筒４を上へと持ち上げる時に、同時に安全リング４１を持ちあげ、同時に電源を切断する方式である。もう一つは、直ちに電源を切断することを望まない時には、材料押し込み筒４だけを上へと持ち上げ、安全リング４１は、材料進入トンネル１１上端を覆う元の位置を保持する方式で、これによりモーター１６は通電を継続し運転を持続する。
【図面の簡単な説明】
【００１４】
【図１】本考案一実施形態によるジューサーの安全装置において、安全装置が含む機体と材料押し込み筒の実施形態を示す平面分解図である。
【図２】本考案一実施形態によるジューサーの安全装置において、材料押し込み筒が材料押し込み膜を設置する実施形態を示す立体図である。
【図３】本考案一実施形態によるジューサーの安全装置において、安全装置構造を示す平面断面分解図である。
【図４】本考案一実施形態によるジューサーの安全装置において、材料押し込み筒が機体の材料進入トンネルに未進入で、しかも安全リングに設置する突出部品がスイッチ装置に未接触の状態を示す局部平面断面図である。
【図５】本考案一実施形態によるジューサーの安全装置において、材料押し込み筒が機体の材料進入トンネルに進入し、しかも安全リングに設置する突出部品がスイッチ装置に接触する状態を示す局部平面断面図である。
【図６】本考案一実施形態によるジューサーの安全装置において、材料押し込み筒が機体の材料進入トンネルに完全に進入し、しかも安全リングに設置する突出部品がスイッチ装置に持続的に接触する状態を示す局部平面断面図である。
【符号の説明】
【００１５】
１  機体
１１  材料進入トンネル
１２  カッター装置
１３  ジュース出口
１４  カス収集槽
１５  ハンドル
１５１  溝穴
１６  モーター
２  インチングスイッチ
３  連棒
３１  ピボット
４  材料押し込み筒
４１  安全リング
４１１  導入ブロック
４２  突出部品
４３  貫通孔
４４  材料押し込み棒
４５  導入溝
【図１】
0003149106.tif 000003
【図２】
0003149106.tif 000004
【図３】
0003149106.tif 000005
【図４】
0003149106.tif 000006
【図５】
0003149106.tif 000007
【図６】
0003149106.tif 000008